(57)【要約】【課題】  植物の生育状況に応じて受光効率を高めるため手軽に栽培筒を移動しうると共に栽培空間を有効利用できる植物栽培装置を提供する。【解決手段】  複数の植物植込み孔１を側周面２に設けた複数の栽培筒３と、栽培筒３を吊持する複数の吊持具４と、各吊持具４を移動自在に案内支持するガイド５と、各栽培筒３に養液を供給する養液供給手段７とを備えるように、植物栽培装置を構成する。【選択図】  図１
2008253218.tif 000002
【特許請求の範囲】
【請求項１】
複数の植物植込み孔を側周面に設けた複数の栽培筒と、
栽培筒を吊持する複数の吊持具と、
各吊持具を移動自在に案内支持するガイドと、
各栽培筒に養液を供給する養液供給手段と
を備えたことを特徴とする植物栽培装置。
【請求項２】
栽培筒はその筒心まわりに回転可能に吊持具により吊持されている請求項１記載の植物栽培装置。
【請求項３】
吊持具がガイドに対し着脱可能となっているか、あるいは栽培筒が吊持具に対し着脱可能となっている請求項１または２記載の植物栽培装置。
【請求項４】
ガイドはレールと、このレールに移動自在に案内支持される複数のスライダとを備え、各スライダには吊持具を支持する支持部が形成されている請求項１〜３のいずれかに記載の植物栽培装置。
【請求項５】
ガイドはレール間に断絶部を有する複数のレールと、この断絶部を断絶状態と接続状態とのいずれか一方の状態とすることが可能な接続レールとを備え、前記接続状態時に、スライダが一方のレールから他方のレールへ接続レールを介して移動できるように構成した請求項４記載の植物栽培装置。
【請求項６】
栽培筒は、複数の筒分割体から構成され、これら複数の筒分割体が筒心方向に重ねられて一体化されたものである請求項１〜５のいずれかに記載の植物栽培装置。
【発明の詳細な説明】
【技術分野】
【０００１】
本発明は野菜や花などの植物を栽培する装置に関するものである。
【背景技術】
【０００２】
植物を栽培するのに土壌を利用しない養液栽培が広く行われている。この養液栽培のための栽培槽として、箱状、桶状、筒状など様々のものが従来から用いられているが、営利栽培用、家庭栽培用を問わず、水平若しくは勾配を持たせて配置されているのが一般である。このため、栽培空間の上部を十分活用しているとは言い難かった。
【０００３】
また営利栽培では、植物の成長に応じて植物の間隔を変更するため、栽培槽の表面パネルを変更したり、長大な桶を移動させたり、あるいは作業スペースを確保するため箱状栽培槽を支持台ごと機械的に移動させたりしているが、これらの作業が煩雑で、容易ではなかった。家庭用の小型の栽培槽の場合でも、屋外と屋内間の頻繁な移動は困難であった。
【発明の開示】
【発明が解決しようとする課題】
【０００４】
本発明は上記従来例の諸問題点を解決することを課題とする。より具体的には本発明は、栽培空間を有効に利用し、植物の生育状況に応じて受光効率を高めるための栽培槽の移動や、栽培者の好みの場所への栽培槽の移動を容易かつ手軽に行うことができる植物栽培装置を提供することを目的とする。
【課題を解決するための手段】
【０００５】
本発明は上記目的を達成するため、複数の植物植込み孔を側周面に設けた複数の栽培筒と、栽培筒を吊持する複数の吊持具と、各吊持具を移動自在に案内支持するガイドと、各栽培筒に養液を供給する養液供給手段とを備えたことを特徴とする。
【０００６】
上記養液供給手段から供給される養液は、養分を含む水溶液のみならず、水のみで栽培可能な植物に対しての水をも含む概念である。
【発明の効果】
【０００７】
本発明によれば、栽培槽としての各栽培筒が吊持具を介してガイドに移動自在に案内支持されており、これら栽培筒間の間隔を手軽に変更することができる。これにより、植物の生育状況に応じて、太陽光、人工照明を問わず受光効率を高めることができる。また、栽培筒を竪長に形成することにより、植物栽培空間の無駄な空間をなくして、有効利用することができる。
【０００８】
特に本発明を家庭用観賞植物栽培装置として用いる場合には、栽培筒を屋外と屋内との間で手軽に移動でき、植物への採光を十分に確保しながら、植物の保護を図り、植物の観賞性を高めることができる。
【発明を実施するための最良の形態】
【０００９】
本発明の実施形態を図面を参照して以下説明する。
【００１０】
図１〜図４に示す植物栽培装置は、複数の植物植込み孔１を側周面２に設けた複数の栽培筒３と、栽培筒３を吊持する各栽培筒３に対応する吊持具４と、各吊持具４をスライド自在に案内支持するガイド５と、各栽培筒に上端開口部６から養液を供給する養液供給手段７とを備えている。
【００１１】
前記栽培筒３は、竪長円筒形状（例えば外径１０ｃｍ、竪長１００ｃｍ）の筒本体８と、カップ状の底蓋９と、上端リング１０とを一体に結合してなる。筒本体８は円筒形状のプラスチック製（例えば塩化ビニール製）の基筒８ａと、その内周面に貼着した断熱部８ｂとからなっている。なお、断熱効果を高めるため、基筒８ａの外周面に断熱材を貼付することも可能である。前記断熱部８ｂは図３に示すように凹凸面とすることが好ましい。この筒本体８には多数の植物植込み孔１が形成され、この植物植込み孔１に、植物苗１１の根部１１ａが植込み固定される。
【００１２】
また栽培筒３の軽量化を図るため、植物植え込み孔１とは別の孔を基筒８ａに開設し、この孔を前記断熱部８で覆う構成とすることができる。
【００１３】
前記吊持具４は、１対の吊ワイヤ１２、１２、回転部１３、フック１４を有し、１対の吊ワイヤ１２、１２の下端は、栽培筒３の上端リング１０に設けた１対の係止部１５、１５に固定されている。前記回転部１３によって、栽培筒３はその筒心まわりに回転可能に吊持具４により吊持される。
【００１４】
なお、図２に仮想線で示すように上端リング１０の開口部（上端開口部）６に網５５を張設すると、虫の侵入を防ぐと共に、入射光量を減少させて根の保護を図ることができるので、好適である。
【００１５】
前記ガイド５は、レール１６と、このレール１６にスライド自在に案内支持される多数のスライダ１７とを備えている。レール１６は、栽培室等の上部構築物１８にＶ字型金具１９を介して固定されている。スライダ１７はＴ字状断面を有し、その上部がレール１６に案内支持され、その下部に前記吊持具４を支持する支持部としての掛止孔２０が形成されている。この掛止孔２０に吊持具４のフック１４が着脱可能に係止される。このようにして、吊持具４がガイド５に対し着脱可能となるように構成されているが、これに代えて栽培筒３が吊持具４に対し着脱可能となるように構成してもよい。なお、上記レール１６およびスライダ１７としては、市販のカーテンレールのレールおよびスライダを採用することができる。
【００１６】
また上記スライダ１７は、レール１６に案内されて滑動状態でスライドするものであるが、これに代えてローラを備え、ローラの転動によってレール１６上をスライドするスライダを用いてもよい。
【００１７】
前記養液供給手段７は、養液供給パイプ２１、この養液供給パイプ２１から分岐する多数本の分岐チューブ２２、噴霧ノズル２３および分岐チューブ２２と噴霧ノズル２３のチューブ２３ａとをワンタッチで接続するワンタッチ接続具２４とを備えている。前記養液供給パイプ２１を通じて圧送されてきた養液は、分岐チューブ２２を経て、栽培筒３の上端開口部６から導入された噴霧ノズル２３に達し、そのノズル本体２３ｂから植物苗１１の根部１１ａに向け、噴霧される。栽培筒３はガイド５により、その位置を変えうるように構成されており、その移動の際にはワンタッチ接続具２４を切り離し操作すると、養液は分岐チューブ２２の先端で保持される。移動後にワンタッチ接続具２４を接続状態に操作すれば、所望の位置の分岐チューブ２２を経て栽培筒３内に養液を供給することができる。
【００１８】
前記養液供給手段７に代えて、栽培筒３の側周部や底部から養液を筒内に導入する養液供給手段を用いることもできる。
【００１９】
栽培筒３の底蓋９は、半透明のプラスチック（例えばポリエチレン）で構成され、噴霧ノズル２３から噴霧された残余の養液を一時的に貯留する。この底蓋９の側面には回収用チューブ２５が接続されている。また栽培筒３の下方には回収パイプ２６およびこの回収パイプ２６から分岐する多数の分岐チューブ２７が配設してあり、前記回収用チューブ２５は前記ワンタッチ接続具２４と同様の機能を有するワンタッチ接続具２８により接続されている。このように構成することにより、養液を回収して再利用できる。
【００２０】
前記ガイド５は、図５の平面図に示すように、複数本のレール１６を並列状態に配置し、これらレール１６に吊持される栽培筒３を採光等の条件が最適となる位置に移動させることができる。
【００２１】
次に上記実施形態の植物栽培装置の使用方法および有利な点につき説明する。植物苗１１は、直径２〜３ｃｍ程度の径の網状のポットにロックウールなどの植込み材料を必要最小使用した部分に根が成長した根部１１ａを有している。この根部１１ａを前記植物植込み孔１に圧入状態に嵌め込むことにより植物苗１１は、栽培筒３に植込まれる。植物の成長に伴い根が前記ポットの網目より出てくるが、養液を前記噴霧ノズル２３から噴霧状に供給することで根の乾きを回避できる。この養液の供給は、タイマーを用いて断続的に行うと好適である。
【００２２】
植物の成長に伴い、採光条件を良好にするため、栽培筒３を水平移動させて栽培筒３、３間の間隔を容易に拡大することができる。また栽培筒３を筒心まわりに回転させることにより、栽培筒３の側周面に植え込まれた複数の植物間の採光条件を均一化できる。
【００２３】
前記栽培筒３は、筒状に形成され、上端開口部６を有しているため、内部の蒸れが防がれ、植物の成長に好都合である。また栽培筒３は断熱部８ｂを有しているので、外気温の急激な変化、特に温度上昇から植物が保護される。この断熱部は、本実施形態に示すものの外、筒本体８の内外周の両方、あるいは外周にのみ設ける構成としてもよい。前記栽培筒３の内周側の断熱部８ｂは、凹凸面に形成されているが、これによって成長した根が極度に張り付くことを防止できる。
【００２４】
前記栽培筒３は吊持具４と共に、ガイド５に対し着脱可能に構成されているので、ガイド５に対し、栽培筒３の入れ替え等を自由簡単に行える。また観賞用植物の栽培などでは、図６に示すスタンド２９に、栽培筒３を吊持具４を介して吊持することにより、室内や店内での植物観賞を容易に行える。
【００２５】
本実施形態は、上記のように構成されているが、これに加えて図１、図４、図７、図８に示すように、ガイド５がレール間に断絶部３０を有する複数のレール１６と、この断絶部３０を断絶状態と接続状態とのいずれか一方の状態とすることが可能な接続レール３１とを備え、前記接続状態時に、スライダ１７が一方のレール１６から他方のレール１６へ接続レール３１を介してスライド移動できるように構成されている。
【００２６】
図１、図７、図８に示す例は、栽培筒３が屋外と屋内との間でレール１６上の移動を可能にしたもので、屋外のレール１６と屋内のレール１６との間には、戸などの開閉可能な障害物３２が存在している。前記接続レール３１は、レール１６にスライド可能に外嵌され、非接続時には図１、図７に示すように、一方のレール１６上に退避して支持されている。戸などの障害物３２を開放したとき、接続レール３１をスライドさせて、図８に示すように両レール１６を接続する状態とすると、栽培筒３を屋外、屋内の一方から他方へスライド移動させることができる。
【００２７】
なお、図７、図８に仮想線で示すように、スライダ１７間を連繋する連結紐５１を設けると、複数の栽培筒３を同時に移動できるので、便利である。
【００２８】
このような構成によれば、特にマンションなどで園芸を楽しむ際に有用である。すなわち、マンションにおいてはたとえ窓際であっても室内では十分な光線量を確保することが困難であり、一方バルコニー等の屋外では観賞用途として十分な活用ができないばかりか、冬の寒さという問題もあった。本実施形態のものによれば、手軽に屋外、屋内間における栽培筒３の移動が可能であるので、観賞面や植物保護面ですぐれた効果を奏しうる。
【００２９】
図９、図１０は、栽培筒３Ａが複数の筒分割体３３から構成され、これら複数の筒分割体３３が筒心方向に重ねられて一体化されたものである植物栽培装置の他の実施形態を示している。栽培筒３Ａ以外の構成は既述の実施形態と同様に構成される。
【００３０】
各筒分割体３３の基本構成は既述の実施形態の栽培筒３の筒本体８と同様であり、ただその竪長が前記筒本体８より短いだけである。前記栽培筒３Ａは、４個の筒分割体３３と、既述の実施形態の底蓋９と同様の機能を営むカップ状の底蓋９Ａと、円板状の上蓋１０Ａとを、図示するように筒心方向に重ね合わせ、緊締ワイヤ３４によって一体化されたものである。なお、この栽培筒３Ａにも、植物植込み孔１、断熱部８ｂが設けられ、前記植物植込み孔１に植物苗１１の根部１１ａが植込み固定される。
【００３１】
前記上蓋１０Ａには、吊持具４の１対の吊ワイヤ１２、１２の下端が固定される係止部１５Ａを有すると共に、その中央部に緊締ワイヤ３４を挿通するためのワイヤ挿通孔部３５が設けられ、かつ前記噴射ノズル２３を筒内に導入するための開口３６が形成されている。前記底蓋９Ａの内底面中央部に２つ折りにした緊締ワイヤ３４の下端屈曲部が係止される係止部３７が形成されている。そして、前記係止部３７に下端屈曲部より上方に延びる緊締ワイヤ３４の２本の上端部を前記ワイヤ挿通孔部３５に挿通し、下蓋９Ａ、４個の筒分割体３３、上蓋１０Ａを図９に示すように重ね合わせて緊締状態とした後、前記ワイヤ挿通孔部３５に螺合した止めネジ３８を締め込むことにより緊締ワイヤ３４を固定し、栽培筒３Ａの一体化を行うことができる。
【００３２】
この実施形態によれば、筒分割体３３の個数の増減により、栽培筒３Ａの竪長を変更でき、また、筒分割体３３の一部交換も可能である。また、栽培筒３Ａを持ち運びしたり、車に搭載することが筒心方向に長くて不便な場合には、栽培筒３Ａを容易に筒分割体３３に分割できるので、携帯性が高まる。
【００３３】
なお、図１０に仮想線で示すように、各筒分割体３３に上下に貫通して前記吊ワイヤ１２、１２がすり抜けうるように形成されたスリット５２を設けると、筒分割体３３の一部交換や栽培筒３Ａの竪長の変更を容易にでき便利である。この場合、筒分割体３３の外周に貼着した断熱用シートの端部を利用して、前記スリット５２を開閉可能に覆いうるように構成すると好適である。
【００３４】
本発明は上記実施形態に示すものの外、種々の形態に構成することができる。例えばガイドに案内支持される各吊持具を動力で移動させることができる。また栽培筒３の植込み孔１に植物１１の根部１１ａを固定する方法は、上記実施形態に示すものに限定されず、種々の方法がある。
【産業上の利用可能性】
【００３５】
本発明は、植物の生育状況に応じて受光効率を高めるため手軽に栽培筒を移動しうると共に栽培空間を有効利用できる営利用植物栽培装置や家庭用植物栽培装置に利用するに適したものである。
【図面の簡単な説明】
【００３６】
【図１】本発明の実施形態を示す概略正面図。
【図２】その主要部を示す斜視図。
【図３】栽培筒の要部の断面図。
【図４】吊持具の一部縦断正面図。
【図５】ガイドと栽培筒との配置関係を示す概略平面図。
【図６】栽培筒の利用形態を示す斜視図。
【図７】ガイドと栽培筒との関係を示す概略正面図。
【図８】ガイドと栽培筒との関係を示す概略正面図。
【図９】本発明の他の実施形態の栽培筒を示す断面図。
【図１０】その分解斜視図。
【符号の説明】
【００３７】
１    植物植込み孔
２    側周面
３、３Ａ  栽培筒
４    吊持具
５    ガイド
６    上端開口部（筒端開口部）
７    養液供給手段
１６    レール
１７    スライダ
２０    掛止孔（支持部）
３０    断絶部
３１    接続レール
３３    筒分割体
【図１】
2008253218.tif 000003
【図２】
2008253218.tif 000004
【図３】
2008253218.tif 000005
【図４】
2008253218.tif 000006
【図５】
2008253218.tif 000007
【図６】
2008253218.tif 000008
【図７】
2008253218.tif 000009
【図８】
2008253218.tif 000010
【図９】
2008253218.tif 000011
【図１０】
2008253218.tif 000012